(57)【要約】      （修正有）【課題】綴じ足の幅バラツキや綴じ足や係止溝の摩耗などに対応し、係止板と綴じ足の正確な組み合わせがなく又、係止板が書類面に対して両端が反り返っていても片手での操作が出来る綴じ足、綴じ穴もスライダーもない係止板裏面に屈曲係止する綴じ足係止板を提供する。【解決手段】係止板係止溝１ａの土手先端１ｂ間幅を係止溝入り口１ｃから溝終点に向け狭くしていくことにより、綴じ足に起因する全てのバラツキを吸収することが可能となる。又、係止板長手方向に中央が浮くように僅かに湾曲させると、片手動作で簡単に綴じ足係止が保証されるようになった。【選択図】図２
2013220562.tif 000002
【特許請求の範囲】
【請求項１】
裏面長さ方向に溝を有する長尺な係止板に、断面が扁平な可撓性綴じ足を該係止板に屈曲係止する綴じ具で、係止板下面の係止溝の底の幅は綴じ足の最大幅と略同等のとじ具に於いて、係止溝の相対する土手部先端間距離が、係止溝入り口から係止溝終点部に向け狭くなっていくことを特徴とする、  係止板下面の係止溝を下にして、係止溝入り口部を書類上での綴じ足根元に当接し、綴じ足を根元から屈曲しながら係止板を綴じ足先端部に向けて書類上を押し滑らせることで綴じ足を係止溝に屈曲挿入係止する綴じ足係止板。
【請求項２】
係止板長手方向一直線上に、綴じ足毎に存在する係止溝間には、綴じ足最大幅と略同等か僅かに広く細長い表裏貫通溝を有する事を特徴とする請求項１記載の綴じ足係止板。
【請求項３】
係止板裏面を書類面に当接したとき、係止板長手方向両端部から接するように係止板が僅かに湾曲していることを特徴とする請求項１及び請求項２記載の綴じ足係止板。
【発明の詳細な説明】
【技術分野】
【０００１】
新規な係止具に関する。詳しくは断面が扁平な可撓性帯状物を屈曲して係止板に係止する係止具に関する。主としてフラットファイルの綴じ具に用いる事が出来る。
【背景技術】
【０００２】
従来より、書類をファイルに綴じるには紙製ファイルに端部を固定された、断面が扁平な可撓性綴じ足に書類の綴じ穴を挿通し、その上に綴じ具を挿通し、綴じ足を係止するという、いわゆるフラットファイル方法が多く利用されてきた。この際、綴じ具は細長いレール部材とレール部材に嵌合したスライダー部からなり、レール部材の挿通孔から上に飛び出た部分の綴じ足を屈曲し、レール部材に勘合したスライダー部材をレール部材に沿って摺動させて綴じ足を屈曲状態で係止する綴じ具及びファイルは公知である（特許文献１）。
【０００３】
しかし上記従来の綴じ具は、例えば２穴用綴じ具に於いては、綴じ穴の開いたレール部材とレール部材を摺動する２個のスライダー部材の少なくとも３部材からの構成が必須であり、綴じ足をレール部材に挿通し、綴じ足を屈曲してスライダー部材を摺動させるなど操作も手間であり、綴じ具の生産コストも部材点数が多く、組み立ても必要でありその分だけコストが高くなっているなどの問題を有していた。
【０００４】
この問題に対する解決策として、書類のパンチ穴から上に飛び出した綴じ足を係止板で書類表面で屈曲しながら屈曲部から係止溝に挿通して係止するという綴じ具が提案されている（特許文献２）。  
【特許文献１】特開平８−１７５０６９  図１２
【特許文献２】特許第４７０６９８９
【０００５】
しかし上記綴じ具にも以下のような問題点が有ることが分かってきた。即ち特許文献２に示す綴じ具では当然ながら、２本の綴じ足は同一方向に屈曲させることになり、係止板先端部の綴じ足は綴じ操作者から見えるが、もう一方の綴じ足は係止板の下にあり、屈曲部を直接見ることが出来ないため、不安を感ずる事。又、綴じ足と係止板の係止溝はキツ過ぎても、ユル過ぎても綴じ足の係止、即ち書類、枚葉類の綴じはきちっと行われず、また精度よく両方が出来上がっていても同じ箇所での繰り返し綴じ作業の間に主として綴じ足幅部が削れて幅狭となり、係止力が落ちてくる。又は、綴じ足の生産ばらつきや、メーカー間による幅寸法の変化、係止板の生産ばらつきによる寸法変化などに係止力が左右されるなどの問題点が分かってきた。更に、しっかりと綴じ足を係止するためには綴じ足屈曲部、即ち係止溝入り口部を指で押さえておかないと安定した係止力が得にくいという問題も分かってきた。
【発明の開示】
【発明が解決しようとする課題】
【０００６】
本発明が解決しようとしている課題は、特許文献２に示す綴じ具に於いて、綴じ足の屈曲部からの挿入作業をより簡単にし、かつ綴じ足、係止板の寸法バラツキを吸収する綴じ具（係止板）を提供することにある。
【課題を解決するための手段】
【０００７】
第一の課題解決手段は、裏面長さ方向に溝を有する長尺な係止板に、断面が扁平な可撓性綴じ足を該係止板に屈曲係止する綴じ具で、係止板下面の係止溝の底の幅は綴じ足の最大幅と略同等のとじ具に於いて、係止溝の相対する土手部先端間距離が、係止溝入り口から係止溝終点部に向け狭くなっていくことを特徴とする、係止板下面の係止溝を下にして、係止溝入り口部を書類上での綴じ足根元に当接し、綴じ足を根元から屈曲しながら係止板を綴じ足先端部に向けて書類上を押し滑らせることで綴じ足を係止溝に屈曲挿入係止する綴じ足係止板とする。
【０００８】
第二の課題解決手段は、係止板長手方向一直線上に、綴じ足毎に存在する係止溝間には、綴じ足最大幅と略同等か僅かに広く細長い表裏貫通溝を有する事を特徴とする請求項１記載の綴じ足係止板とする。
【０００９】
第三の課題解決手段は、係止板裏面を書類面に当接したとき、係止板長手方向両端部から接するように係止板が僅かに湾曲していることを特徴とする請求項１及び請求項２記載の綴じ足係止板とする。
【発明の効果】
【００１０】
本発明による効果は以下の通りである。即ち、係止溝の相対する土手部先端間の距離を綴じ足最大幅より僅かに広めから、徐々に狭くして行くことにより、綴じ足幅のバラツキ（綴じ足メーカー間バラツキ、生産バラツキ、繰り返し使用による綴じ足幅変化等）を吸収出来るようになる。また、係止板の長手方向に、綴じ足ごとに設けてある係止溝どうしの間に表裏貫通溝を設けることにより、操作者は綴じ足の位置確認と、綴じ足を貫通溝に挿通することで綴じ作業が目視しながら出来るため安心、確実に行えるようになる。
又、係止板を長手方向に湾曲しておくことにより、係止板中央部１カ所を指で書類面側に押しながら係止板を押し滑らせることでこの綴じ足を書類上の根元から係止板に屈曲挿通係止ししやすくなる。即ちスライダーなしで綴じられるという画期的綴じ具をより使いやすくすることが可能となる。また、表裏貫通溝部の片側梁を省略することにより、綴じ具で隠れてしまう書類面がより見やすくすることも可能となる。こんな事が出きるのも、従来のスライダー方式では出来ない事である。
【発明を実施するための最良の形態】
【００１１】
図１は本発明による係止板１の斜視図である。図１Ａは表面、図１Ｂは裏面からの斜視図である。表裏貫通穴Ｈは図１Ａ、Ｂ両方に現れ、図１Ｂでは、２本の係止溝１ａの間に表裏貫通孔があることが分かる。
【００１２】
図２は、本係止板１を更に詳細に示すものである。図２Ａは平面図、図２Ｂは図２ＡにおけるＹ１−Ｙ１断面図を示す。図２Ｃは裏面図を示す。図２Ｄ、図２Ｅ、図２Ｆは、それぞれ図２ＣにおけるＸ１−X1、Ｘ２−Ｘ２、Ｘ３−Ｘ３断面図を示す。図２Ａ、２Ｂ、２Ｃ、図２Ｆから貫通挿通溝Ｈの構造が分かる。係止溝１ａの最狭部である土手部幅Ｌは係止溝１ａの入り口部１ｃから徐々に狭くなっており、図２Ｄと図２Ｅで示すＬ値は
Ｌ１＞Ｌ２にの関係になっており、図３に示す綴じ足２の最大幅はＬ１と略同等からＬ２の間にある。図２Ｂには右端に溝止めＴを設けてある。
【００１３】
図３は、本発明による係止板１を、書類のパンチ穴から上に飛び出した断面が扁平な綴じ足の書類上の根元に係止溝の入り口１ｃをそれぞれ当接した状態を示す。表裏貫通孔Ｈがあるために、図３の下側の綴じ足２も係止溝入り口に綴じ足根元が正しく当接している事が操作者にもよく分かるようになった。
【００１４】
図３に於いて、斜め右上方向に係止板１を書類表面に押しつけながら綴じ足２を屈曲係止した状態が図４である。この動作で、綴じ足が係止板１の係止溝１ａに屈曲係止されるメカニズムは特許文献２の図３、４、５、６に関する内容に詳述されている。  
【００１５】
本発明に戻り、図４の如く、綴じ足が係止溝入り口からしっかり屈曲係止されるためには、図３に於いて、係止溝入り口に綴じ足の書類上の根元が当接した状態で係止板を図４の矢印方向に押し滑らせる必要があり、係止板が図５の如く僅かに中央が持ち上がるように湾曲していれば、係止板の中央部を手で書類に押し当てながら、滑らせれば片手で綴じ足を係止板に屈曲係止することが可能になる。図５Ａは係止板の湾曲状態で、  図５Ｂは中央を書類面に押し付けた状態を示す。このように係止板１を長手方向に対して中央部が書類面に対して僅かに浮くように湾曲させておくことにより、係止溝入り口に当接した綴じ足を係止板１の中央部を片手の指で図面右上に押し滑らせるだけで確実に綴じ足を屈曲係止出来るようになる。また、綴じ足最大幅がメーカー間、生産ロット間差、係止溝土手先端間差等があっても、又繰り返し同じ綴じ足部を使用することによる摩耗があっても、係止溝入り口から溝終点に向け土手先端間幅が徐々に狭くなっていくことにより、上記変動を吸収し必ずしっかり綴じ足を屈曲係止出来るようになる。
【図面の簡単な説明】
【００１６】
【図１】係止板１斜視図
【図２】係止板１詳細図
【図３】綴じ足２に係止板１を当接した斜視図
【図４】係止板を図矢印方向に、書類面上を押し滑らせ、綴じ足を屈曲係止した状態の斜視図。
【図５】係止板湾曲側面図
【符号の説明】
【００１７】
１              係止板
１ａ            係止溝
１ｂ            係止溝土手先端
１ｃ            係止溝入り口
Ｇ１、Ｇ２     （綴じ足）ガイド
Ｈ              貫通溝
Ｔ              溝止め
Ｌ              係止溝土手先端間距離
２              綴じ足
３              紙製ファイル（表裏背表紙）
Ｐ              書類
【図１】
2013220562.tif 000003
【図２】
2013220562.tif 000004
【図３】
2013220562.tif 000005
【図４】
2013220562.tif 000006
【図５】
2013220562.tif 000007